(57)【要約】【課題】ＩＣカード化された運転免許証の保有者が自宅から離れた場所で運転をしている場合に、運転している場所に適した案内を行う。【解決手段】本発明のナビゲーション装置１は、運転免許証読み取り部１５によりナビゲーション装置１の外部にある運転免許証２から自宅の住所の情報を取得する。また一方、ナビゲーション装置１は、ＧＰＳ受信部１４によりナビゲーション装置１が搭載される車両の現在位置を取得し、制御部１０において自宅の住所と車両の現在位置の間の距離を算出し、所定の距離を超えているかどうかを判定する。自宅の住所と車両の現在位置の間の距離が所定の距離を超えている場合、ナビゲーション装置１が行う案内を観光用のものなどに変更する。【選択図】図１
2011180078.tif 000002
【特許請求の範囲】
【請求項１】
運転手に対して地図の表示を伴う案内を行うナビゲーション装置において、
前記運転手の自宅の住所を少なくとも含む情報を記憶できるＩＣカードから所定の情報を取得する情報取得手段と、
車両の現在位置を特定する現在位置特定手段と、
前記自宅の住所が表す場所から前記車両の現在位置までの距離に基づいて、前記ナビゲーション装置が行う案内を決定する案内決定手段とを備えることを特徴とするナビゲーション装置。
【請求項２】
請求項１に記載のナビゲーション装置において、
前記案内決定手段は、前記自宅の住所が表す場所から前記車両の現在位置までの距離が所定値より大きくなったとき、そのときまでに行っていた案内に代わって予め設定された地図の表示を伴う案内を行うことに決定することを特徴とするナビゲーション装置。
【請求項３】
請求項２に記載のナビゲーション装置において、
前記ナビゲーション装置は、前記地図上に表示するアイコンを選択するアイコン選択手段をさらに備え、
前記案内決定手段は、前記自宅の住所が表す場所から前記車両の現在位置までの距離が前記所定値より大きいとき、前記ナビゲーション装置が行う案内を、前記アイコン選択手段が選択したアイコンを前記地図上に表示する案内に決定することを特徴とするナビゲーション装置。
【請求項４】
請求項３に記載のナビゲーション装置において、
前記アイコン選択手段は、前記ナビゲーション装置の操作者により予め行われた選択操作に基づいて、前記地図上に表示するアイコンを選択することを特徴とするナビゲーション装置。
【請求項５】
請求項３に記載のナビゲーション装置において、
前記アイコン選択手段は、前記情報取得手段により取得された情報に基づいて、前記地図上に表示するアイコンを選択することを特徴とするナビゲーション装置。
【請求項６】
請求項５に記載のナビゲーション装置において、
前記情報取得手段は、前記ＩＣカードから前記運転手の生年月日をさらに取得し、
前記アイコン選択手段は、前記運転手の生年月日に基づいて、前記地図上に表示するアイコンを選択することを特徴とするナビゲーション装置。
【請求項７】
請求項４から６のいずれか一項に記載のナビゲーション装置において、
前記ナビゲーション装置は、地域ごとの特色情報を記憶する特色情報記憶手段をさらに備え、
前記アイコン選択手段は、前記情報取得手段により取得された前記自宅の住所に対応する地域の特色情報に関するアイコンを除いて、前記地図上に表示するアイコンを選択することを特徴とするナビゲーション装置。
【請求項８】
請求項５に記載のナビゲーション装置において、
前記ナビゲーション装置は、地域ごとの特色情報を記憶する特色情報記憶手段をさらに備え、
前記アイコン選択手段は、前記地図上に表示するアイコンとして、前記車両の現在位置の周辺の地域の特色情報に対応したアイコンであって、前記情報取得手段により取得された前記自宅の住所に対応する地域の特色情報に対応しないアイコンを選択することを特徴とするナビゲーション装置。
【請求項９】
請求項１から８のいずれかに記載のナビゲーション装置において、
前記ＩＣカードは、運転免許証であることを特徴とするナビゲーション装置。
【発明の詳細な説明】
【技術分野】
【０００１】
本発明は、ナビゲーション装置に関する。
【背景技術】
【０００２】
ＩＣカード化された運転免許証とナビゲーション装置を用いて、運転手に応じて異なる誘導や案内を行うことができるナビゲーションシステムが開示されている。（特許文献１）。
【先行技術文献】
【特許文献】
【０００３】
【特許文献１】特開２００４−００４０１６号公報
【発明の概要】
【発明が解決しようとする課題】
【０００４】
特許文献１の発明では、誘導や案内を行うため、ＩＣカード化された運転免許証に記憶されている情報からその運転免許証の保有者の年齢や運転歴を取得している。しかし、ＩＣカード化された運転免許証に記憶されている自宅の住所に関する情報などについては利用していない。そのため、運転免許証の保有者が旅行をしているときなどにおいて、自宅から離れた場所で運転しているときであっても、運転している場所に合わせた案内をすることができず、自宅周辺と同様の案内をしてしまうことがある。
【課題を解決するための手段】
【０００５】
本発明によるナビゲーション装置は、運転免許証の保有者である運転手に対して地図表示を伴う案内を行うナビゲーション装置において、運転手の自宅の住所を少なくとも含む情報を記憶できるＩＣカードから所定の情報を取得する情報取得手段と、車両の現在位置を特定する現在位置特定手段と、自宅の住所が表す場所から車両の現在位置までの距離に基づいて、ナビゲーション装置が行う案内を決定する案内決定手段とを備えるものである。
【発明の効果】
【０００６】
本発明によれば、ＩＣカード化された運転免許証の保有者である運転手が自宅から離れた場所で車両を運転している場合において、運転している場所に適した案内を行うことができる。
【図面の簡単な説明】
【０００７】
【図１】本発明の一実施形態におけるナビゲーション装置の構成の一例を示すブロック図である。
【図２】ＩＣカード化された運転免許証に記憶されている自宅の住所などの情報に基づいて、ナビゲーション装置が行う案内を変更する処理を表すフローチャートの一例である。
【図３】ナビゲーション装置が行う案内の内容をその利用者が選択するための表示画面の一例である。
【図４】運転免許証に記憶されている情報に基づいて、ナビゲーション装置が行う案内の内容を判断する処理を表すフローチャートの一例である。
【発明を実施するための形態】
【０００８】
本発明の一実施形態によるナビゲーション装置の構成について、図１を用いて説明する。図１のナビゲーション装置１は、制御部１０、ＨＤＤ１１、表示モニタ１２、ジャイロセンサ１３、ＧＰＳ受信部１４、運転免許証読み取り部１５、入力部１６、およびスピーカ１７を備える。
【０００９】
制御部１０は、ナビゲーション装置１を動作させるための様々な処理や制御を実行するための部分であり、マイクロプロセッサ、各種周辺回路、ＲＡＭ、ＲＯＭなどによって構成される。
【００１０】
ＨＤＤ１１は、不揮発性の記憶媒体であり、地図データや地図上に表示するアイコンの画像データ、各種設定、登録内容などを含むデータが記憶されている。地図データには、地図上にある施設等のデータが含まれる。ＨＤＤ１１に記憶されているデータは、必要に応じて制御部１０の制御によりＨＤＤ１１から読み出され、制御部１０が実行する様々な処理や制御に利用される。
【００１１】
表示モニタ１２は、様々な画像や映像などを表示するための装置であり、液晶ディスプレイ等が用いられる。制御部１０の制御に基づいて、表示モニタ１２に地図や自車両の現在位置、アイコンなどを表示することにより、ナビゲーション装置１は経路誘導を行う。
【００１２】
ジャイロセンサ１３は、車両の向きの変化に応じた角速度を検出するためのセンサである。このジャイロセンサ１３により検出された角速度に基づいて、車両の向きが求められる。ＧＰＳ受信部１４は、ＧＰＳ衛星から送信されるＧＰＳ信号を受信して制御部１０へ出力する。ＧＰＳ信号には、車両の現在位置と現在時刻を求めるための情報として、そのＧＰＳ信号を送信したＧＰＳ衛星の位置と送信時刻が含まれている。したがって、制御部１０は、所定数以上のＧＰＳ衛星からＧＰＳ信号を受信することにより、これらの情報に基づいて車両の現在位置および現在時刻を算出することができる。
【００１３】
運転免許証読み取り部１５は、制御部１０の命令により、ＩＣカード化された運転免許証２（以降、単に運転免許証２と記載する）と無線通信を行い、運転免許証２に記憶された情報を取得できる。運転免許証２には、その保有者の氏名や、住所、生年月日、本籍、住所、免許証交付年月日、有効期間の末日、免許の種類、免許証番号、顔写真などの情報を記憶しておくことができる。運転免許証２から情報を取得する場合、予め記憶させた暗証番号を入力する必要がある。運転免許証の暗証番号は二つあり、本籍および顔写真の情報を取得するためには、二つの暗証番号の両方が必要となる。なお、運転免許証読み取り部１５は、ナビゲーション装置１の外部機器であってもよい。
【００１４】
入力部１６は、ナビゲーション装置１を動作させるためにユーザから入力される各種操作を検出するための装置で構成され、各種の入力スイッチ類を有している。ユーザは、入力部１６を操作することにより、たとえば、目的地に設定したい施設や地点の名称等を入力したり、予め登録された登録地の中から目的地を選択したり、表示モニタ１２に表示された地図を任意の方向にスクロールしたり、運転免許証２の内容を読み取るための認証を行うための暗証番号を入力することができる。入力部１６は、操作パネルやリモコンなどによって実現することができる。あるいは、入力部１６を表示モニタ１２と一体化されたタッチパネルとしてもよい。
【００１５】
スピーカ１７は、制御部１０の制御により、車両の走行に関する様々な音声情報を出力する。たとえば、推奨経路に従って自車両を目的地まで案内するための経路案内用の音声や、各種の警告音などを出力する。
【００１６】
次に上記の構成を用いて、運転免許証の保有者である運転手が自宅から離れた場所で運転をしているときにその場所に適した案内を行う処理について図２を用いて説明する。図２の処理は、ナビゲーション装置１の制御部１０にて実行される。なお、図２では、運転免許証読み取り部１５に運転手の運転免許証２が挿入されているものとする。また、自宅から離れた場所で運転をしているときに行う案内は、観光用の案内とする。
【００１７】
図２の処理では、ナビゲーション装置１ははじめに運転免許証２の認証を行う。図２のステップＳ２００では、制御部１０は、運転免許証読み取り部１５を介して運転免許証２から運転手の暗証番号を読み取る。暗証番号の読み取りが完了したらステップＳ２０１に進む。
【００１８】
ステップＳ２０１では、制御部１０は、運転手に運転免許証２の認証を行うことを通知し、暗証番号の入力画面を表示モニタ１２に表示させ、運転手に入力部１６を介して暗証番号の入力を行わせる。運転手による入力が行われたらステップＳ２０２に進む。ステップＳ２０２では、制御部１０は、入力された暗証番号が正しいか否かを判定する。たとえば、運転手により入力された番号とステップＳ２００により読み取られた暗証番号とが一致するかどうかを判定し、一致すればステップＳ２０３に進む。入力された番号が一致しなかったときは、ステップＳ２０１に戻る。
【００１９】
ステップＳ２０１で入力する暗証番号は、自宅の住所に関する情報を取得できるようにするための暗証番号でよい。なお、運転免許証２の暗証番号を３回連続して間違えると、運転免許証２は使用できなくなる。そのため、ステップＳ２０２では、ステップＳ２０１にて入力された暗証番号が間違っている場合は、所定の画面や音声によって注意喚起のための通知をすることが好ましい。
【００２０】
ステップＳ２０３では、制御部１０は、運転免許証読み取り部１５を介して運転免許証２からその保有者である運転手の自宅の住所に関する情報を取得する。運転手の自宅の住所に関する情報を取得したらステップＳ２０４に進む。
【００２１】
ステップＳ２０４では、制御部１０は、ＧＰＳ受信部１４が受信するＧＰＳ信号などに基づいて車両の現在位置を取得する。車両の現在位置を取得したらステップＳ２０５に進む。
【００２２】
ステップＳ２０５では、制御部１０は、ステップＳ２０３で取得した運転手の自宅の住所に関する情報と、ステップＳ２０４で取得した車両の現在位置とに基づいて、それらの間の距離を算出し、ステップＳ２０６に進む。
【００２３】
ステップＳ２０６では、制御部１０は、算出した距離が所定の距離（たとえば、５０ｋｍ）を超えているかどうかを判定する。算出した距離が所定の距離を超えていれば、ステップＳ２０７に進み、そうでなければステップＳ２０４に戻る。
【００２４】
ステップＳ２０７では、制御部１０は、運転手に対して表示モニタ１２などを介して観光用の案内に変更するかどうかの通知を行い、入力部１６を介して変更するかどうかを選択させる。運転手が案内を変更することを選択した場合はステップＳ２０８に進み、そうでない場合は図２の処理を終了する。なお、ステップＳ２０７は、省略してもよい。
【００２５】
ステップＳ２０８では、制御部１０は、表示モニタ１２に表示している案内などを観光用のものに変更し、図２の処理を終了する。
【００２６】
以上の処理によって、ナビゲーション装置１は、運転免許証保有者が自宅から離れた場所で運転をしているときに観光用の案内など、運転している場所に適した案内を行うことができる。次に、ナビゲーション装置１が行う観光用の案内の一例について説明する。
【００２７】
ナビゲーション装置１では、地図を表示モニタ１２に表示する際、駅やコンビニエンスストア、ガソリンスタンドなどの施設やサービスなどを表すアイコンを重ねて表示することができる。表示するアイコンは、施設やサービスの種類によって異なる。表示モニタ１２に表示できるアイコンの種類は、予め決められており、たとえば、駐車場や、地下鉄の駅、ガソリンスタンド、レストラン、ホテル、コンビニエンスストアなどの施設に対応したアイコンがある。これらのアイコンは、ジャンルによって分類されていることがある。アイコンのジャンルの例としては、交通機関や、食事、公共施設、レジャー、観光地、宿泊施設などがある。ナビゲーション装置１は、一部のアイコンだけを表示してもよい。表示するアイコンは、アイコンのジャンルごとまたはアイコンが表す施設やサービスの種類ごとに設定することができる。なお、一つのアイコンは、複数の施設やサービスに対応していてもよいし、複数のジャンルに属していてもよい。
【００２８】
本実施形態では、観光用の案内は、たとえば、観光地や宿泊施設などのジャンルのアイコンや、名所・旧跡やホテルなどの観光に関わりの深い施設やサービスのアイコンなどを優先的に地図に表示したものとする。観光用の案内において表示するアイコンの種類は、予めナビゲーション装置１の利用者に選択させてもよいし、制御部１０の判断により選択してもよい。アイコンの種類は、アイコンのジャンルごとに選択してもよいし、施設やサービスの種類ごとに選択してもよい。
【００２９】
（ナビゲーション装置１の利用者が予め選択する場合）
観光用の案内において表示するアイコンの種類をナビゲーション装置１の利用者が予め選択する場合は、たとえば、表示モニタ１２にアイコンのジャンルを一覧表示し、入力部１６を介して選択させてもよい。図３は、アイコンのジャンルおよび施設やサービスの種類の一覧を表示モニタ１２に表示したときの画面の一例である。図３の例では、観光用の案内のために表示するアイコンのジャンルとして、レジャーおよび宿泊施設が選択されており、それぞれの項目に関する欄に印３０１が表示されている。また、観光地ジャンルに属するアイコンが表す施設やサービスの種類を表示し、個別にアイコンを表示するか否かを選択している。図３の例では、名所・旧跡が選択されており、該当する項目の欄に印３０１が表示されている。また、カーソル３０２が表示されており、特産品販売店をさらに選択しようとしている。カーソル３０２は、入力部１６により動かすことができる。
【００３０】
（制御部１０が判断する場合）
一方、観光用の案内において表示するアイコンの種類を制御部１０の判断で選択する場合、制御部１０は、たとえば、運転免許証２を保有する運転手に関する情報に基づいて判断すればよい。その判断方法について図４を用いて説明する。図４は、運転免許証２に記憶されているその運転手の生年月日に関する情報に基づいて、観光用の案内において表示するアイコンの種類を選択する方法の一例を説明するためのフローチャートである。
【００３１】
図４のフローチャートにおける処理を開始するにあたって、運転免許証読み取り部１５には、運転免許証２が挿入されているものとする。図４のステップＳ４０１では、制御部１０は、運転免許証２の認証を行う。ここで行う処理は、図２のステップＳ２００〜Ｓ２０２と同様である。入力された暗証番号が正しく、運転免許証２の認証が終了したらステップＳ４０２に進む。
【００３２】
ステップＳ４０２では、制御部１０は、運転免許証読み取り部１５を介して、認証が完了している運転免許証２から運転手の生年月日に関する情報を取得する。運転免許証２を保有する運転手の生年月日に関する情報の取得が終わったらステップＳ４０３に進む。
【００３３】
ステップＳ４０３では、制御部１０は、ステップＳ４０２で取得した生年月日に関する情報に基づいて、表示するアイコンの種類を選択する。たとえば、制御部１０は、運転免許証２を保有する運転手をその生年月日に基づいて、２０代、３０代といった年齢層に分類し、その年齢層に応じた所定の施設やサービスを表すアイコンを選択する。アイコンの種類を選択したらステップＳ４０４に進む。
【００３４】
ステップＳ４０４では、制御部１０は、表示モニタ１２に表示されている地図の範囲内にあって、ステップＳ４０３で選択されたアイコンの種類に該当する施設やサービスを地図データの中から検索する。施設やサービスの検索が終わったらステップＳ４０５に進む。
【００３５】
ステップＳ４０５では、制御部１０は、ステップＳ４０４で検索された施設やサービスを表すアイコンを表示モニタ１２に表示されている地図に重ねて表示し、図４の処理を終了する。
【００３６】
以上説明した実施形態によれば、次の作用効果を奏する。
【００３７】
（１）本実施の形態のナビゲーション装置１は、運転免許証読み取り部１５によりＩＣカード化された運転免許証２からその保有者の情報を取得する（図２のステップＳ２０３）。一方、ＧＰＳ受信部１４により受信したＧＰＳ信号に基づいて車両の現在位置を取得する（図２のステップＳ２０４）。制御部１０は、運転免許証２の保有者である運転手の自宅の住所と車両の現在位置との間の距離を算出し、所定の距離より大きい場合に観光用の案内に変更する（図２のステップＳ２０６およびＳ２０８）。これにより、ナビゲーション装置１は、運転免許証２の保有者が旅行中の場合、すなわち自宅から離れた場所で運転をしている場合において、観光用の案内など、運転している場所に適した案内を行うことができる。また、ナビゲーション装置１のＨＤＤ１１ではなく、運転免許証２に記憶されている住所を使用することにより、レンタカーなどに搭載されるナビゲーション装置１への住所の登録を省略することができる。
【００３８】
（２）本実施の形態のナビゲーション装置１は、ＩＣカード化された運転免許証２から取得した生年月日に関する情報に基づいて、観光用の案内の内容を設定することができる（図４）。これにより、運転手の年齢層に適した観光用の案内を行うことができる。
【００３９】
以上の実施の形態は、以下のように変形して実施できる。
【００４０】
（１）本実施の形態では、観光用の案内として、ナビゲーション装置１の利用者あるいは制御部１０により選択されたアイコンを表示するものとした。しかし、観光用の案内は、アイコン表示以外のものを含んでもよい。たとえば、車両の現在位置の周辺地域にある観光地または特産品に関する案内を画像または音声により出力してもよい。なお、地域ごとの観光地や特産品に関するデータは、地図データと共にＨＤＤ１１に記憶してもよいし、ナビゲーション装置１の外部にあるサーバ等から受信してもよい。
【００４１】
（２）図４では、観光用の案内に表示するアイコンの種類を運転免許証２に記憶された運転手の生年月日に基づいて選択するものとした。しかし、アイコンの種類の選択に用いる運転免許証２に記憶された情報は、生年月日だけに限らない。たとえば、運転手の自宅の住所でもよい。
【００４２】
たとえば、観光に関する地域ごとの特色情報（地域の特産品、地域内に多くある観光名所の種類など）をＨＤＤ１１などに記憶しておく。そして、観光用の案内を行う際には、運転免許証２に記憶されている自宅の住所に対応する地域の特色情報をＨＤＤ１１などから検索する。次に、ＧＰＳ受信部１４などから車両の現在位置を取得し、その車両の現在位置に対応する地域の特色情報をＨＤＤ１１から検索する。この車両の現在位置に対応する地域の特色情報から自宅の住所に対応する地域の特色情報と一致するものを除外し、残った特色情報に関するアイコンだけを表示することにしてもよい。
【００４３】
なお、ナビゲーション装置の利用者が図３のような画面を介して予め選択したアイコンや、制御部１０が運転手の生年月日に基づいて選択したアイコンから自宅の住所に対応する地域の特色情報に関するアイコンを除外してもよい。
【００４４】
（３）以上で説明した各実施の形態や各種の変形例では、運転手の情報を運転免許証２から取得した。しかし、運転手の情報を記憶しておく媒体は、運転免許証２でなくてもよい。たとえば、ナビゲーション装置１でのみ使用できる専用のＩＣカードであってもよい。このとき、そのＩＣカードは、運転免許証２と同様にカードの所有者の氏名や住所、生年月日などの個人情報を記憶できることが望ましい。
【００４５】
（４）ナビゲーション装置１がユーザの氏名や自宅住所などを登録可能なものである場合、運転免許証２に記憶されている情報に基づいて、ユーザの氏名や自宅住所の登録を行い、その登録された情報に基づいて上記の実施の形態や変形例で実行する処理を実施してもよい。
【００４６】
以上で説明した各実施の形態や各種の変形例はあくまで一例であり、発明の特徴が損なわれない限り、本発明はこれらの内容に限定されない。
【符号の説明】
【００４７】
１  ナビゲーション装置
２  ＩＣカード化された運転免許証
１０  制御部
１１  ＨＤＤ
１２  表示モニタ
１３  ジャイロセンサ
１４  ＧＰＳ受信部
１５  運転免許証読み取り部
１６  入力部
１７  スピーカ
【図１】
2011180078.tif 000003
【図２】
2011180078.tif 000004
【図３】
2011180078.tif 000005
【図４】
2011180078.tif 000006